(57)【要約】【課題】ＬＡＮ用ケーブルの接続を簡単にすること。【解決手段】基板となるベース５と、ＬＡＮケーブル３１０の継ぎ手となるジャックコネクタ３０４を有しかつベース５に対して回動するコンセントユニット１００とをコンセント装置１に備える。【選択図】図３
2004071402.tif 000002
【特許請求の範囲】
【請求項１】
基板となるベース（５）と、
ケーブル（３１０）の継ぎ手となるジャックコネクタ（３０４）を有しかつ前記ベース（５）に対して回動するコンセントユニット（１００）と、を有するコンセント装置（１）。
【請求項２】
前記ベース（５）には対向する一対の植立板（８）が形成され、この植立板（８）の対向面（１５）にはそれぞれ一端が開口する長溝（１７）が対向して形成され、
前記コンセントユニット（１００）は、前記ジャックコネクタ（３０４）が入るハウジング（１５０）を有し、
前記ハウジング（１５０）の端面（１５１）の各々には前記長溝（１７）にゆるみ嵌め状態で嵌合する突起（１５２）が形成され、
これらの突起（１５２）は、前記ハウジング（１５０）の長手方向における同一の軸線（Ｌ１またはＬ２）上に位置するとともに、前記端面（１５１）にそれぞれ少なくとも２つずつかつ前記端面（１５１）内で同一列に形成されていることを特徴とする請求項１に記載のコンセント装置。
【発明の詳細な説明】
【０００１】
【発明の属する技術分野】
本発明はコンセント装置に関し、詳しくはマルチメディアポートを通信系の機器や映像系の機器とともに一つのボックスに配設され、これら機器とともにマルチメディアポートを構成する、ＬＡＮ配線に用いる中継モジュラージャック端子ユニットを有するコンセント装置に関する。
【０００２】
【従来の技術】
コンピュータ同士を接続して相互のリソースであるハードディスクやプリンタなどを共有し利用する技術であるＬＡＮ（Ｌｏｃａｌ　Ａｒｅａ　Ｎｅｔｗｏｒｋ）が周知である。
【０００３】
黎明期のＬＡＮはハードディスクやプリンタを共同利用するのがこの技術を導入する最大の目的であった。しかし近年コンピュータは計算機としてではなく、コミュニケーションの道具として使われることが多くなっており、ＬＡＮ環境においてもコミュニケーションツールの一環として利用されている。
【０００４】
そこで、ＬＡＮ用ケーブルと、ルータやハブその他のＬＡＮ用機器とを中継するマルチメディアポート用中継モジュラージャック端子ユニットが利用されている。
【０００５】
中継用モジュラージャック端子ユニットは、屋内の壁面等に配設されたモジュラーコンセントと、ルータやハブその他のＬＡＮ用機器（延いてはその先のコンピュータ）と、をＬＡＮケーブルで中継接続するためのものであり、プラスチック等のケースに入れられてコンセント装置として販売されている。
【０００６】
【発明が解決しようとする課題】
図２０〜図２４は、従来のコンセント装置を説明するための図であって、コンセント装置を符号３００で示す。コンセント装置３００は、基台としてのベース３０１と、ベース３０１と一体形成されている中継用モジュラージャック端子ユニット３０２と、これらを覆うカバー３０３とからなる。
【０００７】
本例示では、コンセント装置３００内がわかるようにカバー３０３を取り外した状態を示す。
【０００８】
コンセント装置３００の正面側には複数のジャックコネクタ３０４が並列されている。ジャックコネクタ３０４は、中継用モジュラージャック端子ユニット３０２の構成部材であり、中継用モジュラージャック端子ユニット３０２の他の構成部材であるインナーハウジング３０５内に嵌め込み式に取着されている。
【０００９】
各ジャックコネクタ３０４には、ＬＡＮ用モジュラーケーブル３０８がそのモジュラージャック３０９を介して接続されている。なお、図面では複数あるジャックコネクタ３０４のうちの一つのジャックコネクタ３０４にＬＡＮ用モジュラーケーブル３０８を接続した状態を例示する。モジュラージャック３０９は、モジュラージャックコネクタと挿抜が簡単にできるということで周知である。
【００１０】
ＬＡＮ用モジュラーケーブル３０８は、例えば図示しないルータやハブその他のＬＡＮ用機器と接続される。
【００１１】
また、各ジャックコネクタ３０４は、その裏面側、すなわちＬＡＮ用モジュラーケーブル３０８が取り付けられる面とは反対側の面で、屋内の壁面等に配設された壁面配設モジュラーコンセント（図示せず）とＬＡＮケーブル３１０で繋がっている。
【００１２】
よって、コンセント装置３００は、ジャックコネクタ３０４を介してその一方の側の面及び他方の側の面にそれぞれ前記ＬＡＮ用モジュラーケーブル３０８及びＬＡＮケーブル３１０が接続される。そして、ＬＡＮ用モジュラーケーブル３０８に接続されているルータその他のＬＡＮ用機器を経由して、コンピュータがＬＡＮ接続されるようになっている。
【００１３】
コンセント装置３００は、インナーハウジング３０５にジャックコネクタ３０４を嵌め込んだ状態で出荷される場合が多い。これはユーザーがジャックコネクタ３０４をインナーハウジング３０５に装着する手間をなくすためである。
【００１４】
ところで、ＬＡＮ用モジュールケーブル３０８をジャックコネクタ３０４に対して挿抜するのは簡単である。これはＬＡＮ用モジュラーケーブルにモジュラージャックが用いられているからである。これに対し、ＬＡＮケーブル３１０をジャックコネクタ３０４に対して挿抜する場合は、簡単ではない。これは、ＬＡＮケーブル３１０のジャックコネクタ３０４との接合形態に起因する。すなわちＬＡＮケーブル３１０では撚り線３１６が８本あり、これらをジャックコネクタ３０４が有する断面Ｕ字溝の周知な撚り線接合部３２０に作業者が一本ずつ圧入して接続するようになっているからである。なお撚り線等の電線を圧入して接合部に接続することを圧接という。図２２は図２１のＩＩＸＩＩ−ＩＩＸＩＩ線要部断面図であるが、この図２２からわかるように、ＬＡＮケーブル３１０の長手方向に対して直交する方向で撚り線３１６がジャックコネクタ３０４の撚り線接合部３２０に嵌め込まれているのがわかる。
【００１５】
また当該嵌め込みを図２２の状態で行うと、作業者による力のいれ具合が良くないため作業性が良くないことがわかる。
【００１６】
そこで、作業者は、力のいれ具合のよい上から下に向けて力を入れられるようにするために、ジャックコネクタ３０４をインナーハウジング３０５から抜き出す。そして、当該抜き出したジャックコネクタ３０４をその向きを図２３のように図２２の横倒しの状態から９０°回転して作業台３２２の上に置く。撚り線接合部３２０の開口３２０ａが上を向くようにしてＬＡＮケーブル３１０の撚り線３１６を撚り線接合部３２０に図２４に示すように圧入し、その後、ジャックコネクタ３０４をインナーハウジング３０５に戻す。このような作業をインナーハウジング３０５に含まれているすべてのジャックコネクタ３０４について実行する。よってこれまでの技術では結線作業が面倒であった。
【００１７】
本発明は、上記実情に鑑みてなされたものであり、その解決しようとする課題は、ジャックコネクタをインナーハウジングから取り外さないでも、ＬＡＮケーブルをジャックコネクタに簡単に圧接できるようにすることにある。
【００１８】
【課題を解決するための手段】
本発明は、前述の技術的課題を解決するために以下のようにした。
【００１９】
すなわち、本発明コンセント装置は、基板となるベースと、ケーブルの継ぎ手となるジャックコネクタを有しかつ前記ベースに対して回動するコンセントユニットと、を有する。
【００２０】
よって、ジャックコネクタに対してケーブルを接続し易い向きになるようにコンセントユニットを回転すればジャックコネクタに対するケーブルの取付け及び取外し作業が簡単になる。
【００２１】
ベースに対してコンセントユニットを回転するための具体的手段として次の手段が考えられる。
【００２２】
前記ベースに対向する一対の植立板を形成する。そして、これら植立板の対向面にそれぞれ一端が開口する長溝を対向状態で形成する。またコンセントユニットに前記ジャックコネクタが入るハウジングを有するようにし、前記ハウジングの端面の各々には前記長溝にゆるみ嵌め状態で嵌合する突起を形成する。これらの突起は、前記ハウジングの長手方向における同一の軸線上に位置させる。また前記突起は、前記ハウジングの端面にそれぞれ少なくとも２つずつかつ端面内で同一列に形成する。
【００２３】
したがって、長溝に突起を嵌合すれば、その嵌合状態を維持しながらハウジング延いてはコンセントユニットを長溝に沿ってスライドできるようになる。
【００２４】
また複数ある突起のうちの一つを長溝に残して他の突起を長溝の開口から外せば、ベースに対してコンセントユニットを回動できるようになる。よって、コンセントユニットのハウジングに含まれるジャックコネクタをハウジングから取り外さないでも、好きな角度で回動できるので、ケーブルの継ぎ手であるジャックコネクタの向きをジャックコネクタに対してケーブルを上方から下方に向けて圧接できる位置にまで自在に変えられる。
【００２５】
よってケーブルをジャックコネクタに簡単に圧接できるようになるので、ケーブルの結線作業が容易になり作業性が向上する。
【００２６】
また、ハウジングの端面内で同一列に突起が形成されているので、これらの突起が長溝に複数入っている場合は、複数の突起が長溝の側壁面と衝突する。このため、複数の突起と長溝との係合関係がロック機構の役割を果たし、ハウジング（コンセントユニット）は勝手に回転しなくなる。
【００２７】
そして、突起と長溝との係合を解いてコンセントユニットをベースから分離した状態でコンセントユニットを回転することでハウジングの突起とベースの長溝との係合を左右入れ替えれば、それまでハウジングの上面が下面になり、下面が上面に入れ替わるので、ハウジングに含まれているジャックコネクタの上下面もそれまでと逆になる。ジャックコネクタのうちモジュラージャックの入る部位は、左右対称でも上下で非対象であるから、この場合、モジュラージャックの向きも反転して入れる必要がある。当該反転により、モジュラージャックの爪部が下になれば、何らかの衝撃があっても爪部に与える衝撃力を避けられるので爪折れ防止に有効である。
【００２８】
また、ケーブルの結線作業を行う場所が狭く、コンセントユニットをベースに付けたままでは結線作業が煩わしい場合には、ベースからコンセントユニットを分離し、広い場所にコンセントユニットを持って行き、そこでコンセントユニットに対して結線作業を行う。このようにすれば、当該結線がなされたコンセントユニットをベースに取り付けるだけでよいので作業性が向上する。
【００２９】
【発明の実施の形態】
以下、本発明の実施の形態を図示例と共に説明する。従来技術の項で述べたと同一部分には同一符号を付してあるが、必要に応じて説明する。
【００３０】
本発明に係るコンセント装置１は、例えば図１〜図４に示すように、左右に長い矩形状をしたベース（基板）５と、このベース５に対して回動し、ＬＡＮケーブル３１０やＬＡＮ用モジュールケーブル３０８の継ぎ手となるジャックコネクタ３０４を内部に含むコンセントユニット１００と、これらベース５やコンセントユニット１００を覆うカバー２００とを有する。
【００３１】
ベース５は、その長四角形状の一側縁６がその左右両端部を除いて浅く矩形に切除された如き扁平凹部形状をしている。そして、凹み部分７の端縁７ａには、対向し、かつベース５に対して直交する一対の植立板８が形成されている。植立板８同士の間にはそれらの底部にて補強用の棚板９が橋渡し状に形成されている。また、ベース５の周縁は複数に分割された囲繞壁１１を有する。
【００３２】
一対の植立板８は、幾分奥行き方向に長い矩形板である。そして、植立板８の対向面１５には植立板８の間口側端縁８ａに沿って延びる長溝１７が対向して形成されている。長溝１７は、競技用のトラック形状の一端側の周回部分を削除したごとき形状をしており、当該切除された部分は上方に拡開して開口している。
【００３３】
棚板９は、コンセントユニット１００が有するジャックコネクタ３０４の数に相当する分の区分けが隔壁１９によって画成されている。区分けされた領域を符号２０で示す。また棚板９の後部に林立している横断面（この場合水平断面）”コ”字形の植立棒１６は、隣接する植立棒１６同士の間にできる間隙でＬＡＮケーブル３１０を挟持して保持する。
【００３４】
囲繞壁１１は、４つの壁部からなり、一対のＬ字形囲繞壁１１ａ，１１ａと一対の長板状囲繞壁１１ｂ，１１ｂとからなる。Ｌ字形囲繞壁１１ａは、ベース５の一側縁６側の隅部を囲むようにして立ち、長板状囲繞壁１１ｂは、ベース５のうち一側縁６と対向する他の一側縁６’（図１４参照）に沿って設けられている。ベース５のうちＬ字形囲繞壁１１ａと長板状囲繞壁１１ｂとの間、及び長板状囲繞壁１１ｂ，１１ｂの間は間隙１１ｃとなっており、当該間隙１１ｃからＬＡＮケーブル３１０がコンセント装置１の外へ延びている。間隙１１ｃが複数（３つ）あるのは、ＬＡＮケーブル３１０の方向性の自由度を高めるためである。各間隙１１ｃの手前側にある複数の波板１２は、ＬＡＮケーブル３１０の外皮を係止して滑りを防止する。
【００３５】
なお、ベース５には、これら以外に湾曲形状をした骨板２１や、支柱２３を有する。また図５は、上記したコンセント装置１のカバー２００を取り外した状態を示す平面図である。
【００３６】
コンセントユニット１００は、前記ジャックコネクタ３０４と、このジャックコネクタ３０４が入る中空直方体形状のインナーハウジング１５０とを有する。
【００３７】
インナーハウジング１５０は、その端面１５１，１５１の各々に前記長溝１７にゆるみ嵌め状態で嵌合する短寸な円筒突起１５２が形成されている。
【００３８】
円筒突起１５２は、前記インナーハウジング１５０の長手方向における同一の軸線Ｌ１，Ｌ２上に位置し、前記端面１５１，１５１にそれぞれ少なくとも２つずつ（この実施形態では２つ）離された状態でかつ前記端面１５１，１５１内で同一列に形成されている。
【００３９】
この実施形態では円筒突起１５２が２つの場合を示し、円筒突起１５２同士の間隔は、長溝１７の長さ寸法よりも幾分短くされている。円筒突起１５２が２つとも長溝１７に嵌合している状態では、コンセントユニット１００は回動がロックされるけれども、長溝１７に沿っての移動は可能である。そして、コンセントユニット１００が長溝１７に沿って移動し、円筒突起１５２が一つのみ長溝１７に嵌合している状態になると、コンセントユニット１００は、長溝１７内にある円筒突起１５２に支持されて軸線Ｌ１またはＬ２を回動中心にして自在に回動可能である。
【００４０】
また、インナーハウジング１５０はその内部が隔壁１５４により画成されて、小室１５６が複数形成される。小室１５６に前記ジャックコネクタ３０４が入る。小室１５６の数は、前記棚板９の領域２０の数と同数である。
【００４１】
さらに、図１７，図１９に示すように、インナーハウジング１５０の上下両面には、小室１５６に入れられたジャックコネクタ３０４を固定するための係止片１５８が形成されている。
【００４２】
係止片１５８は、一端固定多端自由の片持ち梁状であり、自由端には小室１５６内に突出する係止突起１６０が形成されている。
【００４３】
ジャックコネクタ３０４は、係止片１５８の係止突起１６０と係止する、相手係止片１６２及び固定鈎部１６４を上下方向で対向する対向面３０４ａ，３０４ｂに有する。
【００４４】
相手係止片１６２は、係止片１５８と同様の片持ち梁状であり、その一端に係止片１５８の係止突起１６０と係止する係止突起１６６を有する。
【００４５】
カバー２００は、ベース５の凹み部分７に対向する部位で切り欠き状に形成したごとき切欠側縁２０２と、切欠側縁２０２に対向する対向側縁２０４と、一対の端縁２０６，２０６とからなる。そして、対向側縁２０４と、端縁２０６，２０６には、ベース５の間隙１１ｃに対向する箇所に設けられ、必要に応じて切除可能に薄肉にされている薄肉切除部２１１が形成されている（図１，図２参照）。薄肉切除部２１１は、これを切除するときは、ペンチ等でこじれば簡単に矩形に穿孔できるようになっている。
【００４６】
次にこのような構成のコンセント装置１に、図示しない壁面配設モジュラーコンセントにつながっているＬＡＮケーブル３１０の接続手順について、コンセントユニット１００の動作説明図である図６〜図１４を参照しながら述べる。なおこれらの一連の処理は、図示しない作業者によるものとする。
【００４７】
図６は、コンセントユニット１００を植立板８の長溝１７から引き出す前の状態である。この状態ではコンセントユニット１００の円筒突起１５２が２つとも長溝１７に嵌合状態にあり、もってコンセントユニット１００がベース５に対して回動がロックされた状態にある。当該ロック状態では撚り線接合部３２０にＬＡＮケーブル３１０の撚り線３１６はまだ接合されていない。
【００４８】
次に図７に示すように、長溝１７沿いにコンセントユニット１００を上方に引き出し、長溝１７の一端側である上部開口から円筒突起１５２を一つ出す。
【００４９】
次に図８に示すように、長溝１７にある円筒突起１５２を含む軸線Ｌ１またはＬ２を回動中心にして長溝１７の上部で自在に回動する。図８では時計回りに回動している状態を示す。
【００５０】
図９では、コンセントユニット１００を９０°回転させて、長溝１７の底部で撚り線接合部３２０を上方に位置させた状態にする。
【００５１】
図１０ではＬＡＮケーブル３１０の撚り線３１６をジャックコネクタ３０４の撚り線接合部３２０のＵ字溝に圧接する。このとき撚り線３１６は上から下に押し下げることができるので、力のいれ具合がよい。したがって作業性が高まる。このようにしてＬＡＮケーブル３１０をコンセントユニット１００のジャックコネクタ３０４に接続する。
【００５２】
図１１では、ＬＡＮケーブル３１０の接続されたコンセントユニット１００を一端持ち上げて反時計周りに、円筒突起１５２を含む回転軸線Ｌ１またはＬ２を回動中心にして回動している状態を示す。
【００５３】
次に図１２は、９０°反時計回りに回転した状態を示す。このとき円筒突起１５２は、植立板８に形成された長溝１７の上部に位置する。
【００５４】
図１３は、図１２の状態からコンセントユニット１００を長溝１７沿いに下方に移動し最終的に長溝１７に２つの円筒突起１５２が収まり、もってコンセントユニット１００の回動がロックされた状態を示す。この状態を全体で見たものを図１４に示す。
【００５５】
このように、コンセント装置１では、植立板８に形成された長溝１７に円筒突起１５２を嵌合すれば、その嵌合状態を維持しながらコンセントユニット１００を長溝に沿ってスライドできるようになる。
【００５６】
そして、コンセントユニット１００のインナーハウジング１５０に含まれるジャックコネクタ３０４をインナーハウジング１５０から取り外さないでも、好きな角度で回動できるので、ＬＡＮケーブル３１０の継ぎ手であるジャックコネクタ３０４の向きを自在に変えられる。よってジャックコネクタ３０４に対してＬＡＮケーブル３１０を上方から下方に向けて圧接できる位置にまで回動すればＬＡＮケーブル３１０をジャックコネクタ３０４に簡単に圧接できるようになる。この結果、ＬＡＮケーブル３１０の結線作業が容易になり作業性が向上する。
【００５７】
また、長溝１７に円筒突起１５２が２つ入っている場合は、円筒突起１５２の２つが互いに離れた状態で長溝１７の側壁面と衝突するため、複数の円筒突起１５２と長溝１７との係合関係がロック機構の役割を果たし、インナーハウジング１５０（コンセントユニット１００）は勝手に回転しなくなる。
【００５８】
また、図１５に示すように、円筒突起１５２と長溝１７との係合を解いてコンセントユニット１００をベース５から分離した状態でコンセントユニット１００を同図▲１▼〜▲３▼のように回転することでインナーハウジング１５０の円筒突起１５２とベース５の長溝１７との係合を左右入れ替えたならば、それまでの状態ではインナーハウジング１５０の上面であった面が下面になり、下面であった面が上面になるように入れ替わるので（図１６〜図１９参照）、インナーハウジング１５０に含まれているジャックコネクタ３０４の上下面もそれまでと逆になる。ジャックコネクタ３０４のうちＬＡＮ用モジュラーケーブル３０８のモジュラージャック３０９の入る部位は、左右対称でも上下で非対象であるから、この場合、モジュラージャック３０９の向きも反転して入れる必要がある。当該反転により、モジュラージャック３０９の爪部３０９ａが下に位置すれば、何らかの衝撃があっても爪部３０９ａに与える衝撃力を避けられるので爪折れ防止に有効である。
【００５９】
また、ＬＡＮケーブル３１０の結線作業を行う場所が狭く、コンセントユニット１００をベース５に付けたままでは結線作業が煩わしい場合には、ベース５からコンセントユニット１００を分離し、広い場所にコンセントユニット１００を持って行き、そこでコンセントユニット１００に対して結線作業を行う。このようにすれば、当該結線がなされたコンセントユニット１００をベース５に取り付けるだけでよいので作業性が向上する。
【００６０】
【発明の効果】
以上説明したように本発明によれば、ジャックコネクタをハウジングから取り外さないでも、ＬＡＮケーブルをジャックコネクタに簡単に圧接できる。
このため、結線作業が極めて簡単になる。
【図面の簡単な説明】
【図１】本発明に係るコンセント装置からカバーを外し、コンセントユニットをベースに対して回動する前の状態を示す斜視図である。
【図２】本発明に係るコンセント装置の分解斜視図である。
【図３】図１の状態からコンセントユニットを９０°回転するまでの途中状態を示す斜視図である。
【図４】図１の状態からコンセントユニットを９０°回転した状態を示す斜視図である。
【図５】コンセント装置１のカバー２００を取外した状態を示す平面図である。
【図６】コンセントユニットの動作説明図の一つであって、図１の状態における長溝と上下係合突起との係合関係を示し、ロックが掛かってコンセントユニットが回動できない状態を示す図である。
【図７】図６に連続する動作説明図であって、ロックが解除された状態を示す図である。
【図８】図７に連続する動作説明図であって、図３の状態を示す図である。
【図９】図８に連続する動作説明図であって、図４の状態を示す図である。
【図１０】図９の状態でコンセントユニットのジャックコネクタに電線の芯線を圧接した状態を示す動作説明図である。
【図１１】図１０に連続する動作説明図であって、コンセントユニットをベースに対して回動し、コンセントユニットをこれからベースにロックする前の途中状態を示す図である。
【図１２】図１１に連続する動作説明図であって、コンセントユニットをロックする直前の状態を示す図である。
【図１３】図１２に連続する動作説明図であって、コンセントユニットをロックした状態を示す図である。
【図１４】図１３の状態を背面側から見た斜視図である。
【図１５】ベースに対してコンセントユニットを左右入れ替える状態を示す斜視図である。
【図１６】本発明に係るモジュラージャックコネクタの正面図であって、ベースに対してコンセントユニットを正規状態で取り付けた状態を示す図である。
【図１７】図１６のＸＶＩＩ−ＸＶＩＩ線断面図である。
【図１８】本発明に係るモジュラージャックコネクタの正面図であって、ベースに対してユニットを正規の状態から反転して取り付けた状態を示す図である。
【図１９】図１８のＸＩＸ−ＸＩＸ線断面図である。
【図２０】従来のコンセント装置からカバーを外した状態を示す全体斜視図である。
【図２１】図２０の背面側から見た状態を示す斜視図である。
【図２２】図２１のＩＩＸＩＩ−ＩＩＸＩＩ線要部断面図である。
【図２３】ジャックコネクタをインナーハウジングから取り出して図２２の状態から９０°回転して作業台の上に置き、ＬＡＮケーブルの撚り線をジャックコネクタに圧入しようとしいる状態を示す図である。
【図２４】ＬＡＮケーブルの撚り線をジャックコネクタに圧入した状態を示す図である。
【符号の説明】
１　コンセント装置
５　ベース
６　一側縁
７　凹み部分
７ａ　端縁
８　植立板
８ａ　間口側端縁
９　棚板
１１　囲繞壁
１１ａ　Ｌ字形囲繞壁
１１ｂ　長板状囲繞壁
１１ｃ　間隙
１２　波板
１５　対向面
１６　植立棒
１７　長溝
１９　隔壁
２０　領域
２１　骨板
２３　支柱
１００　コンセントユニット
１５０　インナーハウジング
１５１　端面
１５２　円筒突起
１５４　隔壁
１５６　小室
１５８　係止片
１６０　係止突起
１６２　相手係止片
１６４　固定鈎部
１６６　係止突起
２００　カバー
２０２　切欠側縁
２０４　対向側縁
２０６　端縁
２１１　薄肉切除部
３００　コンセント装置
３０１　ベース
３０２　中継用モジュラージャック端子ユニット
３０３　カバー
３０４　ジャックコネクタ
３０４ａ　対向面
３０４ｂ　対向面
３０５　インナーハウジング
３０８　ＬＡＮ用モジュラーケーブル
３０９　モジュラージャック
３０９ａ　爪部
３１０　ＬＡＮケーブル
３１６　撚り線
３２０　撚り線接合部
３２０ａ　開口
３２２　作業台
Ｌ１　回転軸線
Ｌ２　回転軸線
【図１】
2004071402.tif 000003
【図２】
2004071402.tif 000004
【図３】
2004071402.tif 000005
【図４】
2004071402.tif 000006
【図５】
2004071402.tif 000007
【図６】
2004071402.tif 000008
【図７】
2004071402.tif 000009
【図８】
2004071402.tif 000010
【図９】
2004071402.tif 000011
【図１０】
2004071402.tif 000012
【図１１】
2004071402.tif 000013
【図１２】
2004071402.tif 000014
【図１３】
2004071402.tif 000015
【図１４】
2004071402.tif 000016
【図１５】
2004071402.tif 000017
【図１６】
2004071402.tif 000018
【図１７】
2004071402.tif 000019
【図１８】
2004071402.tif 000020
【図１９】
2004071402.tif 000021
【図２０】
2004071402.tif 000022
【図２１】
2004071402.tif 000023
【図２２】
2004071402.tif 000024
【図２３】
2004071402.tif 000025
【図２４】
2004071402.tif 000026